(57)【要約】【課題】粉末状の飼料を使用する場合等でも、飼料ホッパー内の飼料を円滑に排出させることができ、構造が簡単で、製造コストも低価格化できる養豚用給餌器を提供する。【解決手段】飼料ホッパー２の内側に吊下杆１１を吊り下げ、吊下杆１１に案内パイプ３を揺動自在に吊り下げると共に、吊下杆１１に環状体１３を装着する。環状体１３は、飼料ホッパー２の下端開口の内径より大きな外径を有する。又、環状体１３は、その周面部の軸対称位置に挿通孔１３ａ，１３ａを穿設し、挿通孔１３ａの内径を吊下杆１１の外径より大きくする。さらに、挿通孔１３ａから一端面に掛けて切欠部１３ｂを形成し、挿通孔１３ａと切欠部１３ｂとの境界の内径を吊下杆１１の外径より若干大きくする。【選択図】図１
2007124924.tif 000002
【特許請求の範囲】
【請求項１】
逆円錐形の飼料ホッパーを備えた養豚用給餌器において、前記飼料ホッパーの内側に吊下杆を吊り下げ、この吊下杆に案内パイプを揺動自在に吊り下げると共に、前記吊下杆に環状体を装着したことを特徴とする養豚用給餌器。
【請求項２】
前記環状体は、前記飼料ホッパーの下端開口の内径より大きな外径を有することを特徴とする請求項１に記載の養豚用給餌器。
【請求項３】
前記環状体は、その周面部の軸対称位置に挿通孔を穿設し、この挿通孔の内径を前記吊下杆の外径より大きくしたことを特徴とする請求項１又は２に記載の養豚用給餌器。
【請求項４】
前記環状体は、前記挿通孔からその一端面に掛けて切欠部を形成し、前記挿通孔とこの切欠部との境界の内径を前記吊下杆の外径より若干大きくしたことを特徴とする請求項３に記載の養豚用給餌器。
【発明の詳細な説明】
【技術分野】
【０００１】
本発明は、仔豚等に餌を与えるための養豚用給餌器に関する。
【背景技術】
【０００２】
養豚用給餌器としては、従来、正面板部、背面板部、左右側面板部、傾斜板部から成る箱形の飼料ホッパーを備えた養豚用給餌器（特許文献１参照）、又、下方に向かって漸次小径とした逆円錐形の飼料ホッパーを備えた養豚用給餌器（特許文献２参照）が知られている。
【０００３】
【特許文献１】特開２００４−１６１１２号公報
【特許文献２】特開２００４−１８０５４３号公報
【０００４】
以前は、箱形の飼料ホッパーを備えた養豚用給餌器が主流であったが、近年は、軽量化、量産化が容易で、低価格化を図ることが容易にでき、飼料ホッパーを順次重ねて保管、搬送することもできるため、逆円錐形の飼料ホッパーを備えた養豚用給餌器が主流となってきた。
【０００５】
逆円錐形の飼料ホッパーを備えた養豚用給餌器として、図５に示すように、飼料ホッパー５２の上端部に支持杆５３を掛け渡し、この支持杆５３に吊下杆５４をその上端部を支持して吊り下げ、この吊下杆５４の下端部に連結杆５５を介して案内パイプ５６を吊り下げた養豚用給餌器５１が広く使用されている。
【０００６】
尚、養豚用給餌器５１において、５７は底皿、５８は給水パイプ、５９は給水器、６０は仕切柵体、６１は支持環体である。
【０００７】
この養豚用給餌器５１によれば、吊下杆５４によって案内パイプ５６を揺動自在に吊り下げてあるから、仔豚が鼻又は口で案内パイプ５６を前後左右に揺動させれば、飼料ホッパー５２内の飼料ａは下端開口から案内パイプ５６内に落下、流出し、飼料排出口から排出されて底皿５７へと供給される。
【０００８】
又、この養豚用給餌器５１によれば、吊下杆５４を上下方向に移動させて、案内パイプ５６を上下方向に移動させ、適宜位置に設定することによって、飼料排出口の開口面積を調整することができるから、底皿５７に供給する餌量を適宜変更することができて、仔豚を適切に飼育することができる。
【発明の開示】
【発明が解決しようとする課題】
【０００９】
しかし、上記養豚用給餌器５１では、飼料ホッパー５２は下方に向かって漸次小径となっているから、飼料ホッパー５２の下端開口が小径、狭小となり、図６に示すように、下端開口付近で飼料ａが自重よって圧縮されて凝集し、いわゆるブリッジ現象が発生して、下端開口から飼料ａが円滑に落下、流出しないという問題点があった。
特に、夏期等において湿度が高い場合、又、粉末状の飼料ａを使用する場合には、飼料ａが下端開口付近で完全に凝集して、下端開口から全く流出しなくなるという事態が頻発した。
【００１０】
このようなブリッジ現象の発生を防止するため、底皿14上に支軸５を回転自在に立設し、支軸５の上端部に逆円錐台状を呈するブリッジ防止部材４を固定し、その下端部に作動部材６を固定し、ブリッジ防止部材４を飼料ホッパー２の下端開口付近に配置した養豚用給餌器１が提案されている（特許文献２参照）。
【００１１】
この養豚用給餌器１によれば、飼料ホッパー２の下端開口付近で飼料ａが凝集し、ブリッジ現象が発生することを効果的に防止することはできるが、部品点数が多く、構造が複雑であるため、養豚用給餌器の製造コストを低減化することが困難であり、保守、管理も容易ではない、という問題があった。
【００１２】
本発明は、かかる従来の問題点に鑑みて為されたものであり、その目的とするところは、夏期等において湿度が高い場合、又、粉末状の飼料を使用する場合等にあっても、飼料ホッパー内の飼料がブリッジ現象を発生せず、下端開口から円滑に落下、流出されるようにするとともに、部品点数が少なく、構造も極めて簡単で、製造コストを低減化することができると共に、保守、管理も容易な養豚用給餌器を提供することにある。
【課題を解決するための手段】
【００１３】
上記目的を達成するために、本発明の養豚用給餌器は、逆円錐形の飼料ホッパーを備えた養豚用給餌器において、前記飼料ホッパーの内側に吊下杆を吊り下げ、この吊下杆に案内パイプを揺動自在に吊り下げると共に、前記吊下杆に環状体を装着したことを特徴とする。
【００１４】
ここで、前記環状体は、前記飼料ホッパーの下端開口の内径より大きな外径を有することが好ましい。
【００１５】
又、前記環状体は、その周面部の軸対称位置に挿通孔を穿設し、この挿通孔の内径を前記吊下杆の外径より大きくするのが好ましい。
【００１６】
さらに、前記環状体は、前記挿通孔からその一端面に掛けて切欠部を形成し、前記挿通孔とこの切欠部との境界の内径を前記吊下杆の外径より若干大きくするのが好ましい。
【発明を実施するための最良の形態】
【００１７】
以下、本発明の養豚用給餌器の好適な実施形態について、図面を参照して詳細に説明する。
図１は、本発明の養豚用給餌器の概観斜視図、図２は、環状体及び吊下杆の外観斜視図、図３は、図１の養豚用給餌器の飼料ホッパー下端部における透視図、図４は、図１の養豚用給餌器の使用状態を示す要部断面図である。
【００１８】
本発明の養豚用給餌器１は、図１に示すように、飼料ホッパー２、案内パイプ３、底皿４、給水パイプ５、給水器６、仕切柵体７、支持環体８等から構成される。
【００１９】
飼料ホッパー２は、その中間部外周面において仕切柵体７に固定してあり、その下端開口を案内パイプ３の上端部内に進入させてある。
又、案内パイプ３は、支持部材９，９を介して仕切柵体７に固定した支持環体８，８によって囲繞され、適宜範囲内で前後左右に揺動できるようになっている。
【００２０】
飼料ホッパー２の上端部の内側には支持杆１０を掛け渡してあり、この支持杆１０の中央部に吊下杆１１の上端部を支持し吊り下げてある。
吊下杆１１の下端部は前記案内パイプ３の上端部内に進入させ、案内パイプ３の上端部内の内側に掛け渡した連結杆１２の中央部に固着して、案内パイプ３を連結杆１２、吊下杆１１及び支持杆１０を介して飼料ホッパー２に揺動自在に吊り下げてある。
【００２１】
吊下杆１１には、図１に示すように、合成樹脂製パイプ材を径方向に切断して製作した環状体１３を装着してある。
環状体１３は、飼料ホッパー２の下端開口の内径より大きな外径を有し、図２に示すように、その周面部には軸対称位置に挿通孔１３ａ，１３ａを穿設し、挿通孔１３ａの内径は吊下杆１１の外径より大きくしてある。
又、挿通孔１３ａからその一端面に掛けて切欠部１３ｂを形成し、挿通孔１３ａと切欠部１３ｂとの境界の内径は吊下杆１１の外径より若干大きくしてある。
【００２２】
よって、図２に示すように、環状体１３の切欠部１３ｂ，１３ｂを吊下杆１１に径方向から近づければ、容易に吊下杆１１を切欠部１３ｂ，１３ｂに挿入することができ、さらに、図３に示すように、吊下杆１１を挿通孔１３ａ，１３ａに嵌入させれば、環状体１３を吊下杆１１に装着させることができる。
この際、挿通孔１３ａと切欠部１３ｂとの境界の内径は吊下杆１１の外径より若干大きくしただけであるから、吊下杆１１が挿通孔１３ａ，１３ａから簡単に脱出して、環状体１３が外れる心配はない。
【００２３】
吊下杆１１に環状体１３を装着した時、環状体１３の外径は飼料ホッパー２の下端開口の内径より大きいから、図１、２及び４に示すように、環状体１３の周面部は下端開口より上方の飼料ホッパー２の内壁面に当接し、環状体１３は下端開口付近に位置する。
【００２４】
養豚用給餌器１では、図１に示すように、飼料ａは飼料ホッパー２内から落下、流出して、案内パイプ３を落下し、飼料排出口から排出され、底皿４上に供給される。
又、給水パイプ５を流通してきた水は、給水器６の排出口から排出され、底皿４に形成された貯水部１４に供給される。
【００２５】
本発明の養豚用給餌器１は、以上のような構成であるから、仔豚が鼻又は口で案内パイプ３を押当て、揺動させることによって、図４に示すように、吊下杆１１が飼料ホッパー２内で前後左右に揺動し、これに伴って、吊下杆１１に装着された環状体１３も上下前後左右に揺動する。
【００２６】
よって、飼料ホッパー２の下端開口付近に存在する飼料ａは、環状体１３によって剪断され、塊状のものは破壊されるから、夏期等において湿度が高い場合、又、粉末状の飼料を使用する場合であっても、飼料ａは下端開口付近で凝集することなく、円滑に下端開口から流出し、案内パイプ３を通過して、飼料排出口から底皿４へと落下、供給される。
【００２７】
本発明の養豚用給餌器１は、吊下杆１１に環状体１３を装着しただけの構造であり、部品点数は少なく、構造も極めて簡単であるから、製造コストを低減化でき、製品コストを安価にできると共に、保守、管理も容易である。
【００２８】
又、吊下杆１１に環状体１３を装着すればよいから、従来の吊下杆１１を有する養豚用給餌器を改造して、本発明の養豚用給餌器１を簡単に構成することができる。
【図面の簡単な説明】
【００２９】
【図１】本発明の養豚用給餌器の概観斜視図である。
【図２】環状体及び吊下杆の外観斜視図である。
【図３】図１の養豚用給餌器の飼料ホッパー下端部における透視図である。
【図４】図１の養豚用給餌器の使用状態を示す要部断面図である。
【図５】従来の養豚用給餌器の概観斜視図である。
【図６】図５の養豚用給餌器の使用状態を示す要部断面図である。
【符号の説明】
【００３０】
１  養豚用給餌器
２  飼料ホッパー
３  案内パイプ
１１  吊下杆
１３  環状体
１３ａ  挿通孔
１３ｂ  切欠部
【図１】
2007124924.tif 000003
【図２】
2007124924.tif 000004
【図３】
2007124924.tif 000005
【図４】
2007124924.tif 000006
【図５】
2007124924.tif 000007
【図６】
2007124924.tif 000008